(57)【要約】  ワイヤレス・アクセスポイントの能力をアドバタイズするために、ワイヤレス・アクセスポイントは、移動局に、ワイヤレス・アクセスポイントが複数のサービスネットワークをサポートすることをアドバタイズする複数レベルの詳細度のメッセージを通信する。複数レベルの詳細度のメッセージは、ワイヤレス・アクセスポイントが複数のサービスネットワークをサポートすることを示す第１のメッセージと、複数のサービスネットワークを特定する情報を含む第２のメッセージとを含む。
2011523256.tif 000002
【特許請求の範囲】
【請求項１】
ワイヤレス・アクセスポイントの能力をアドバタイズする方法であって：
前記ワイヤレス・アクセスポイントから移動局に、前記ワイヤレス・アクセスポイントが複数のサービスネットワークをサポートすることをアドバタイズする複数レベルの詳細度のメッセージを通信するステップと、
を有し、
前記複数レベルの詳細度の前記メッセージは、前記ワイヤレス・アクセスポイントが複数のサービスネットワークをサポートすることを示す第１のメッセージと、複数のサービスネットワークを特定する情報を含む第２のメッセージと、を含む、
方法。
【請求項２】
前記ワイヤレス・アクセスポイントと前記移動局との間で、前記第２のメッセージがいつ通信されるかを示す時間情報を通信するステップ、
を更に有する請求項１記載の方法。
【請求項３】
前記時間情報を通信するステップは、前記第１のメッセージで前記時間情報を通信するステップを含む、請求項２記載の方法。
【請求項４】
前記第１のメッセージは、前記第２のメッセージより頻繁に通信され、かつ、前記第１のメッセージは、サイズにおいて、前記第２のメッセージより小さい、請求項１記載の方法。
【請求項５】
前記複数レベルの詳細度の前記メッセージは、前記第１及び第２のメッセージのレベルの詳細度の間のレベルの詳細度の第３のメッセージ、を含む請求項１記載の方法。
【請求項６】
前記第３のメッセージが、前記第２のメッセージより頻繁に、しかし、前記第１のメッセージより頻繁ではなく送信される、請求項５記載の方法。
【請求項７】
前記メッセージを通信するステップは、前記メッセージのうちの１つに、サービスセット識別子のハッシュされた値を通信するステップを含む、請求項１記載の方法。
【請求項８】
前記メッセージを通信するステップは、前記ワイヤレス・アクセスポイントが前記移動局に前記メッセージを送信するステップ、を含む請求項１記載の方法。
【請求項９】
前記メッセージを通信するステップは、前記移動局が前記ワイヤレス・アクセスポイントから前記メッセージを受信するステップ、を含む請求項１記載の方法。
【請求項１０】
前記第２のメッセージを通信するステップは、ジェネリックアドバタイズメントサービス（ＧＡＳ）クエリ・レスポンスを通信するステップ、を含む請求項１記載の方法。
【請求項１１】
前記メッセージを通信するステップは、Ｗｉ−Ｆｉアクセスポイントから前記移動局に、前記メッセージを通信するステップ、を含む請求項１記載の方法。
【請求項１２】
前記移動局が受動的な方法で、複数のサービスネットワークの情報について知ることが可能である、請求項１記載の方法。
【請求項１３】
ワイヤレス・アクセスポイントであって：
移動局と無線で通信するワイヤレス・インターフェースと、
プロセッサと、を含み、
前記プロセッサは：
前記ワイヤレス・アクセスポイントによってサポートされるサービスネットワークを特定し；
前記移動局に、前記ワイヤレス・アクセスポイントが前記サービスネットワークをサポートすることをアドバタイズするための複数レベルの詳細度のメッセージを送信し、
前記複数レベルの詳細度の前記メッセージが、前記ワイヤレス・アクセスポイントが複数のサービスネットワークをサポートすることを示す第１のメッセージと、前記サービスネットワークを特定する情報を含む第２のメッセージとを含む、
ワイヤレス・アクセスポイント。
【請求項１４】
前記プロセッサは、前記移動局が受動的な方法で前記サービスネットワークについて知ることが可能であるよう、前記移動局からいかなるクエリも必要とすることなしに前記複数の詳細レベルの前記メッセージを送信するように構成される、
請求項１３記載のワイヤレス・アクセスポイント。
【請求項１５】
前記第１のメッセージは、前記第２のメッセージがいつ送信されるかを示す時間情報を含む、請求項１４記載のワイヤレス・アクセスポイント。
【請求項１６】
前記第１のメッセージは、サイズにおいて、前記第２のメッセージより小さい、請求項１５記載のワイヤレス・アクセスポイント。
【請求項１７】
前記第１のメッセージは、前記第２のメッセージより頻繁に送信される、請求項１６記載のワイヤレス・アクセスポイント。
【請求項１８】
命令を含む少なくとも１つのコンピュータ可読の記憶媒体を有する製品であって、前記命令が実行されたときに、移動局が：
ワイヤレス・アクセスポイントから、前記ワイヤレス・アクセスポイントが複数の強化された能力をサポートすることをアドバタイズする複数の詳細レベルのメッセージを受信するようにさせ、
前記複数レベルの詳細度の前記メッセージが、前記ワイヤレス・アクセスポイントが複数の強化された能力をサポートすることを示す第１のメッセージと、複数の強化された能力についての詳細情報を含む第２のメッセージとを含む、
製品。
【請求項１９】
前記命令が実行されたときに、前記ワイヤレス・アクセスポイントから、前記第２のメッセージがいつ通信されるかを示す時間情報を、前記移動局が受信する、
請求項１８記載の製品。
【請求項２０】
前記第１のメッセージは、前記第２のメッセージより小さく、前記第１のメッセージは、前記第２のメッセージより頻繁に送信される、請求項１８記載の製品。
【発明の詳細な説明】
【技術分野】
【０００１】
本発明は、一般に、ワイヤレス・アクセスポイントが複数のサービスネットワークをサポートすることのアドバタイズに関する。
【背景技術】
【０００２】
ワイヤレス・アクセスネットワークは、ますます通信技術、及び／又は、オンライン・リソースへのアクセスのための適切な技術として普及してきている。たとえば、ウエッブサイト、オンライン・ストア等が挙げられる。普及している一つのタイプのワイヤレス・アクセスネットワークは、Ｗｉ−Ｆｉネットワーク（また、ワイヤレス・ローカル・エリア・ネットワーク又はＷＬＡＮと称する）である。これは、ＩＥＥＥ（電気電子学会）の８０２．１１標準で定められている。Ｗｉ−Ｆｉネットワークは、空港、ホテル、スタジアム、小売店、その他において提供され得る。
【０００３】
Ｗｉ−Ｆｉネットワークは、対応するカバレージエリアによる一まとまりのアクセスポイントから成り立つ。カバレージエリアの特定の一つの範囲内のユーザ端末は、対応するアクセスポイントによってワイヤレス通信を実行することが可能である。そして、それはユーザ端末が通信セッションを確立するか、又はネットワークリソース（例えばインターネットで利用できるリソース）にアクセスすることを可能にする。伝統的に、この種のワイヤレス・アクセスネットワークは、サービスプロバイダによって管理された単一のサービスネットワークに接続される。ユーザは、サービスネットワークによって、例えば長期のサブスクライブ契約への加入によって又は短期（例えば、２４時間の）サブスクライブの代金を払うことによって提供されるサービスを申し込んでもよい。８０２．１１の標準によれば、サービスネットワークは、サブスクリプションサービスプロバイダネットワーク（ＳＳＰＮｓ）と称する。ＳＳＰＮは、サブスクリプションサービスプロバイダ（ＳＳＰ）によって制御されるネットワークである。これによって、ユーザ端末のユーザは、関係を確立する。ＳＳＰＮは、ユーザ・サブスクリプション情報を保持する。
【発明の概要】
【発明が解決しようとする課題】
【０００４】
近年、アクセスポイントに対し、アクセスネットワークを拡張し、複数のサービスネットワークを実現する努力がなされている（複数ＳＳＰＮｓ）。しかしながら、従来の解決策では、いずれかの無線アクセスポイントによりサポートされる複数のサービスネットワークを能率的にユーザ端末にアドバタイズすることについて努力が向けられていない。
【課題を解決するための手段】
【０００５】
一般に、実施例によれば、ワイヤレス・アクセスポイント能力をアドバタイズする方法は、ワイヤレス・アクセスポイントから移動局に、ワイヤレス・アクセスポイントが複数のサービスネットワークをサポートするとアドバタイズする複数のレベルの詳細度のメッセージを通信することを含む。
【０００６】
その他の特徴は、以下の説明、図面から、及び請求項から明らかになる。
【図面の簡単な説明】
【０００７】
【図１】本発明の一部の実施例が組み込まれ得る例示的な通信ネットワークのブロック図である。
【０００８】
【図２】実施例に従って、移動局に対し、ワイヤレス・アクセスポイントによってサポートされる複数のサービスネットワークに関する情報のアドバタイズの方法に関するフローチャートである。
【０００９】
【図３】実施例に従うワイヤレス・アクセスポイントのブロック図である。
【発明を実施するための形態】
【００１０】
以下の説明では、一部の実施例の理解を提供するために、多くの詳細事項が記載されている。なお、当業者であれば、一部の実施例については、これらの詳細なしで実施でき、そして、記載されている実施例からその多数のバリエーション又は変更態様が可能であることも理解される。
【００１１】
一部の実施例に従って、効率的に、ワイヤレス・アクセスネットワークのワイヤレス・アクセスポイントが複数のサービスネットワークをサポートすることが可能であることをアドバタイズするためのメカニズム又は技術が提供される。「サービスネットワーク」とは、ユーザがサービスネットワークによって提供されるサービスにアクセスするためにサブスクライブし得る（長期又は短期の）ネットワークを意味する。例えば、一旦ユーザがサービスネットワークをサブスクライブすれば、ユーザはネットワークリソース（例えばインターネット・ウェブサイト、オンライン・ストア、その他）にアクセス、及び／又はネットワーク通信（例えば電子メール、テキスト・チャット、その他）を実行することが可能である。ユーザサブスクライブが、特定のネットワークにアクセスする唯一の手段でない点に注意するべきである。これは１つの例である。他の例は、空港に設置されるワイヤレス・アクセスネットワークを含む。ワイヤレス・アクセスネットワークは、例えば、４つのサービスネットワークを配信してもよい。床下でのオペレーション（例えば荷物処理）、航空会社ゲートターミナルオペレーション、小売り設立オペレーション、パブリックアクセスである。後者のカテゴリにおいて、パブリックアクセスは、通信サービスサブスクリプションプロバイダによる幾つかのサービスネットワークを実現してもよい。他のサービスネットワーク・カテゴリについては、ユーザ端末は、通常は、典型的に、そのワイヤレス・ネットワークＩＤ（識別子）文字列（ＳＳＩＤ：Ｓｅｒｖｉｃｅ  Ｓｅｔ  Ｉｄｅｎｔｉｆｉｅｒ）に基づいて、適切なサービスネットワークを選択する。しかしながら、それは、この種のサービスネットワークがそのサービスユーザに追加情報をアドバタイズするという潜在的なニーズの必要性を否定するものではない。現在のアクセスポイントは、ワイヤレス・アクセスネットワーク自体の特徴をアドバタイズする。しかしながら、本発明の一部の実施例は、サービスネットワークがアドバタイズされる特徴を決定可能とする。例えば、専用サービスネットワークは、対応するユーザ端末が利用できるようにし、ネットワークでの使用の前にデコードするために必要なセキュリティ情報のアドバタイズのデューティサイクルを低くするという利益を享受できる。
【実施例】
【００１２】
ユーザにサービスのアクセスを提供する前に認証され得るように、サービスネットワークは、ユーザに対し、ユーザの証明書を維持してもよい。複数のサービスネットワークは、複数のサービスプロバイダと関連していてもよい。ユーザは、ただ一つのサービスネットワークのサブスクライバーであってもよく、他のサービスネットワークのサブスクライバーでなくてもよい。あるいは、ユーザは、複数のサービスネットワークのサブスクライバーであってもよい。ワイヤレス・アクセスポイントによってサポートされるサービスネットワークをアドバタイズすることによって、ユーザ端末はどんなサービスネットワークが利用できるかという情報を取得することが可能である。そして、ユーザ端末はアクセスするサービスネットワークの適切な一つを選択してもよい。
【００１３】
一部の実施例によって能率的に複数のサービスネットワークにアドバタイズするこのメカニズムは、ワイヤレス・アクセスポイントによってサポートされるサービスネットワークをアドバタイズするための詳細の複数のレベルのメッセージを使用する。複数のレベルの詳細を示すメッセージは、ワイヤレス・アクセスポイントが複数のサービスネットワークをサポートする短いインジケータ（例えば、１−ビットフラグ）を含む第１のメッセージを示す。そして、より詳細な情報を含む第２のメッセージは、ワイヤレス・アクセスポイントによってサポートされる複数のサービスネットワークを特定する。より少ない詳細内容を含む（したがって、より小さいサイズを有する）第１のメッセージは、第２のメッセージより頻繁に送信される。第２の（大きいサイズの）メッセージを送信することによって、ワイヤレス・アクセスポイント、及び、移動局間のワイヤレス・バンド幅のより効率的な使用が達成され得る。
【００１４】
別の実施例において、詳細の複数のレベルで複数のサービスネットワークをアドバタイズする代わりに、ワイヤレス・アクセスポイントの「強化された能力」が、アドバタイズされてもよい。「強化された能力」とは、ワイヤレス・アクセスポイント能力であり、移動局のワイヤレス付属品を使用できるようにするワイヤレス・アクセスポイントによって提供されるサービスあるいは、移動局とワイヤレス・アクセスポイント、に接続されるネットワークとの間の通信以外のものを指す。強化された能力の例としては、ウェブ・サービス、位置サービス、非常時サービス、その他を含む。第１のレベルの第１のメッセージの詳細として、ワイヤレス・アクセスポイントが複数の強化された能力をサポートするように指定してもよい。第２のレベルの第２のメッセージの詳細として、複数の強化された能力の詳細が示されてもよい。
【００１５】
図１は、以下を含む例示的な通信ネットワーク１００である。すなわち、一まとまりのアクセスポイント１０４、１０６を有するワイヤレス・アクセスネットワーク１０２、配信システム１１６、及び、ポータル１１８が挙げられる。なお、２つのアクセスポイント１０４、１０６がワイヤレス・アクセスネットワーク１０２の部分であるとして表されるが、ワイヤレス・アクセスネットワーク１０２はより多くアクセスポイントを含んでもよい。「ワイヤレス・アクセスポイント」又は「アクセスポイント」はワイヤレス（無線）トランシーバを有するデバイスに関連する。これは、ワイヤレス移動局に対し、ネットワークリソースにアクセスするために、デバイスに無線で接続することを可能にする。
【００１６】
各々のアクセスポイント１０４、１０６は、ワイヤレス・アクセス・サービスをそれぞれのカバレージエリア１０８、１１０に配信する。特定のカバレージエリアの範囲内の移動局は、対応するアクセスポイントと無線で通信することが可能である。例えば、移動局１１４がアクセスポイント１０６のカバレージエリア１１０に設置され、移動局１１２はアクセスポイント１０４のカバレージエリア１０８において設置される。「移動局」は、無線でワイヤレス・アクセスポイントと通信することが可能であるいかなるユーザ端末にも関連する。移動局の例は、コンピュータ、パーソナル携帯情報機器（ＰＤＡ）、自動車電話、その他を含む。あるいは、局１１２、１１４は、移動可能ではなく、固定された局であってもよい。
【００１７】
いくつかの実施例では、ワイヤレス・アクセスネットワーク１０２は、Ｗｉ−Ｆｉネットワーク（また、ワイヤレス・ローカル・エリア・ネットワーク又はＷＬＡＮと称する）であってもよい。これには、ＩＥＥＥ（電気電子学会）によって定められた、さまざまな８０２．１１ａ、８０２．１１ｂ、８０２．１１ｇ、８０２．１１ｎ、８０２．１１ｖ及び、８０２．１１ｕを含む８０２．１１標準がある。一部の実施例に従って、「Ｗｉ−Ｆｉ」又は「ＷＬＡＮ」の用語の使用又は「ワイヤレス・ローカル・エリア・ネットワーク」は、ＩＥＥＥ  ８０２．１１標準のいずれかを使用するいかなるワイヤレス・アクセスネットワークにも関連し、既存の標準を含み、現在の標準から進化する将来の標準も同様に含まれる。一部の実施例では、「Ｗｉ−Ｆｉ」又は「ＷＬＡＮ」を参照するが、同様の又は類似の技術が他のワイヤレス・アクセス技術に適用されてもよい点に留意すべきである。
【００１８】
ＩＥＥＥ８０２．１１の標準に基づき、アクセスポイント（例えば、アクセスポイント１０４又は１０６）及び関連づけられた局（移動局を含む）を、基本サービスセット（ＢＳＳ）と呼ぶ。拡張したサービスセット（ＥＳＳ）とは、一つ以上の相互に連結したＢＳＳの一組である。したがって、図１の実施例で、アクセスポイント１０４、及び、１０６によって構成される基本サービスセットは、ＥＳＳの部分である。
【００１９】
図１は、また、配信システム（ＤＳ）１１６を示す。これは、複数のアクセスポイントを相互に接続するためのコンポーネント（これは、理学的インフラストラクチャ及び／又は仮想インプリメンテーションであってもよい）に関連する。ワイヤレス・アクセスネットワーク１０２は、ポータル１１８を介して外部ネットワーク１２０に接続することが可能である。そして、これはインターネット、ローカル・エリア・ネットワーク、広域ネットワーク又は他の種類のネットワークであってもよい。
【００２０】
サービスネットワーク１２２、及び、１２４は、ネットワーク１２０を介してワイヤレス・アクセスネットワーク１０２によってアクセスできる。実施例において、サービスネットワーク１２２は、ＳＳＰＮ  ＃１（サブスクライバーサービスプロバイダネットワーク＃１）と称する。そして、サービスネットワーク１２４はＳＳＰＮ  ＃２（サブスクライバーサービスプロバイダネットワーク＃２）と称する。各々のサービスネットワーク１２２、及び、１２４は、それぞれ、ユーザを認証するためのユーザ証明書、及び、他のサブスクリプション情報を記憶し、かつ、ユーザがどんなサービスをサブスクライブしているかを示す、認証サーバ１２６、及び、１２８を有する。
【００２１】
なお、２つのサービスネットワークが図１において表されるが、他のインプリメンテーションでは、付加的なサービスネットワークがワイヤレス・アクセスネットワーク１０２によってアクセスできてもよい点に留意すべきである。
【００２２】
各々のアクセスポイント１０４又は１０６は、サービスネットワーク１２２、及び、１２４に関する情報によって構成される。このため、各々のアクセスポイント１０４又は１０６は、アクセスポイントがサポート可能なサービスネットワークに関する情報をアドバタイズすることが可能である。アクセスポイントは、複数のレベルの詳細度のメッセージを送ることによって、アクセスポイントによってサポートされるサービスネットワークに関する情報をアドバタイズすることが可能である、より詳細でないメッセージ（より小さいサイズのメッセージ）はより頻繁に送られ、より詳細なメッセージ（より大きなサイズのメッセージ）は、頻繁には送られない。
【００２３】
図１に表されるネットワークノードの装置は、例として提供される。他の実施例では、他の装置が使用されてもよい。
【００２４】
一部の実施例においては、移動局は、受動的な方法で、アクセスポイントによってサポートされるサービスネットワークに関する情報を知ることが可能である（すなわち、移動局は、アクセスポイントによってサポートされるサービスネットワークに関する情報を取得するために、最初にクエリをアクセスポイントに発信する必要はない）。移動局がサポートされたサービスネットワークに関して情報を取得するために、クエリを出すことを必要としないことによって、ワイヤレス・バンド幅のより効果的な利用が提供される。例えば、スタジアム環境において、何万ものユーザが存在する場合、各々のユーザがサポートされるサービスネットワークに関する情報を取得するためにクエリを送信するとすれば、サービスネットワーク利用可能性及び／又は特徴を決定することだけのために、大量のトラフィックが必要となる。
【００２５】
一部の実施例によって提供される更なる向上としては、より詳細なメッセージについては、より頻繁には送られないということである。これを達成するために、ワイヤレス・アクセスポイントは、アクセスポイントが複数のサービスネットワークをサポートするか否か、の単純なインジケータを含む第１のメッセージを送ってもよい。例えば、インジケータは、１つのビットフラグであってもよい。第１の値は複数のサービスネットワークのサポートを示し、第２の値が複数のサービスネットワークをサポートしないことを示すようにしてもよい。第１のメッセージは、また、サポートされたサービスネットワークに関して情報を含むより詳細なメッセージを、アクセスポイントに関連づけられた移動局が受信するのを予想できる時刻を示す時間情報を含んでもよい。第２のメッセージは、第１のメッセージより頻繁には送られない。第１のメッセージが送信されるたびに、第２のメッセージが送られる時刻まで、時間情報が反復的に減らされてもよい。そして、それの後、時間情報はその初期値にリセットされてもよい。
【００２６】
メッセージが２つのレベルの詳細度を持つものとして説明したが、他の実施例では、３つ以上のレベルの詳細度のメッセージが使用されてもよい点に留意すべきである。
【００２７】
図２は、アクセスポイントによって実行される方法の実施例を示す。アクセスポイントは、アクセスポイントによってサポートされるサービスネットワークを（２０２で）最初に特定する。一つの実施例において、アクセスポイントは、アクセスポイントによってサポートされるサービスネットワークに関して、構成情報によってプログラムされてもよい。あるいは、アクセスポイントは、リモート・ソースからこの種の情報を読み出してもよい。
【００２８】
次に、アクセスポイントは周期的に、（アクセスポイントが複数のサービスネットワークをサポートするか否か、指し示すために）複合サービスネットワーク・インジケータ、及び、時間情報を含む第１のメッセージを（２０４で）送る。時間情報には、サポートされるサービスネットワークの、より詳細な第２のメッセージを受信するのを移動局が予想できる時間情報を示す。第１のメッセージが周期的に送られる時間間隔は、あらかじめ定義されていてもよい。
【００２９】
一部のインプリメンテーションにおいて、第１のメッセージに含まれる時間情報は、時間間隔値の形であってもよい。第２のメッセージは、第１のメッセージの後、その正確な時間間隔に送られる。第１のメッセージがブロードキャストメッセージ（例えばビーコン・フレームの部分）であってもよい点に留意する必要がある。他の実施では、時間情報は、他のフォーマットを有してもよい。
【００３０】
アクセスポイントは、また、周期的に、サービスネットワーク（サービスネットワークの識別情報を含む）に関して詳細を含む第２のメッセージ（また、「完全なアドバタイズメッセージ」と称する）を（２０６で）送る。完全なアドバタイズメッセージはより頻繁には送られない。そして、完全なアドバタイズメッセージが周期的に送られる時間間隔は第１のメッセージが周期的に送られる時間間隔より大きいためにあらかじめ定義されていてもよい。完全なアドバタイズメッセージは、また、ビーコン・フレームの一部として送られてもよい。
【００３１】
周期的に送られた完全なアドバタイズメッセージは、周期的に送られた第１のメッセージによって示される時点で送られる。各々の第１のメッセージに応答して、移動局は、移動局が正確にいつ完全なアドバタイズメッセージのためにリッスンすることを必要とするかを知る。移動局は、それからスリープ又は電力削減モードに任意に入ってもよい。そうすると、完全なアドバタイズメッセージを受信するために、ちょうど間に合うようにウエイクアップする。その結果、移動局のバッテリー寿命を延ばすことができ、同時に、移動局は受動的な方法で利用できるサービスネットワークについて比較的迅速かつ効率よく認識することができる。完全なアドバタイズメッセージは１つのメッセージの複数のサービスネットワークのための情報を含んでもよい。そして、そのメッセージが低いレートで送られるので、メッセージは、多くの詳細を含んで、全く大きくてもよく、かつ、場合によっては、移動局がこれまでにサービスネットワークについて知っていたすべてを含んでもよい。このことは、移動局が後で追加情報を要求することを回避することを可能にする。
【００３２】
いくつかの実施例では、８０２．１１ｕ  ＩＥＥＥによって定義されるように、ジェネリックアドバタイズメントメッセージは、（ＧＡＳ：Ｇｅｎｅｒｉｃ  Ａｄｖｅｒｔｉｓｅｍｅｎｔ  Ｓｅｒｖｉｃｅ）クエリ・レスポンスの形であってもよい。
【００３３】
図２は、サポートされたサービスネットワークをアドバタイズするためにアクセスポイントによって送られるメッセージに関する２つのレベルの詳細のみを示しているが、別の実施例では、２つ以上のレベルの詳細を使用してもよい点に留意すべきである。他の実施例において、中間の詳細レベル（第１の、及び、完全なアドバタイズメッセージの詳細レベルの間）を有するメッセージは、第１のメッセージが送られるレートより小さいか、完全なアドバタイズの第２のメッセージが送られるレートより大きい他の速度で送られてもよい。
【００３４】
図２においてワイヤレス・アクセスポイントによって遂行されるタスクは、図３に表されるワイヤレス・アクセスポイント３００によって遂行されてもよい。ワイヤレス・アクセスポイント３００は、図１において表されるアクセスポイント１０４、及び、１０６のうちの１つであってもよい。ワイヤレス・アクセスポイント３００は、一つ以上のＣＰＵ（ＣＰＵ）３０４により実行可能であるソフトウェア３０２を含む。そして、上述のタスクを含むアクセスポイント３００のタスクを遂行する。一つ以上のＣＰＵ３０４は、記憶装置３０６に接続される。記憶装置は、例えば、アクセスポイント３００によってサポートされるサービスネットワークに関する情報を含んでもよい。
【００３５】
ワイヤレス・アクセスポイント３００は、また、ネットワークインターフェース３０８を含む。これは、ワイヤレス・インターフェース及び複数のアクセスポイントを相互接続するバックボーン・ネットワークへの又は他の装置へのインターフェースを含む。
【００３６】
上記は、アクセスポイントによってサポートされるサービスネットワークに関してより能率的に情報をアドバタイズするためのメカニズム、及び、技術を有する。別の態様における一部の実施例によれば、メッセージ（上で述べられるビーコン・フレームのいずれかを含むビーコン・フレーム）のサイズは、この種のメッセージの部分を圧縮することによって減少させてもよい。移動局とアクセスポイントとの間で送られる圧縮され得るメッセージのある部分はＳＳＩＤ（Ｓｅｒｖｉｃｅ  Ｓｅｔ  Ｉｄｅｎｔｉｆｉｅｒ）フィールドであり得る。そして、これは特定の仮想ワイヤレス・アクセスネットワークを特定するために使用される。ＳＳＩＤの圧縮は、ＳＳＩＤより小さいハッシュ値を生み出すためにＳＳＩＤをハッシュすることによって達成されてもよい。ハッシュは、効果的にＳＳＩＤ文字列をより短い長さを有するハッシュ値に変換する。
【００３７】
例えば、ＳＳＩＤ文字列は、長さ３２バイトであってもよい。ＳＳＩＤをハッシュすることによって、長さ２又は４バイトのハッシュ値を生み出してもよい。２つのＳＳＩＤのハッシュが同じハッシュ値になる場合があり、ハッシュ値はユニークでない点に注意する。これをハッシュ衝突という。そして、ハッシュ衝突を解決するためのフォローアップの手順が必要となる。移動局が関心のハッシュ値をメッセージのハッシュ値にその移動局と合致を検出した場合、移動局は実際の合致がなされているか、解決するためのフォローアップの手順を実行してもよい。
【００３８】
例えば、マッチしているハッシュ値を検出すると、即座に、移動局は、クエリ（例えばプローブ要求）をアクセスポイントに送信してもよい。クエリは、移動局に関心のある実際のＳＳＩＤを含む。アクセスポイントは、それから、実際のＳＳＩＤの一致がなされたか否か、示すために、レスポンスを送ってもよい。一致が示される場合、移動局によって受信される元のメッセージ（例えばビーコン・フレーム）は移動局に関心のあるものである。しかしながら、マッチが示されない場合、移動局は元のメッセージを廃棄してもよい。
【００３９】
別の実施例において、ハッシュを使用する代わりに、指紋がその代わりに使用されてもよい。ＳＳＩＤは、対応する指紋にマップされる。指紋の利点はそれらがユニークであるということである。その代わり、特徴は長さがハッシュ値より長いことである。
【００４０】
上記のさまざまなタスクを実行するためのソフトウェア（例えば図３のソフトウェア３０２）の命令は、プロセッサ（例えば図３の一つ以上のＣＰＵ３０４）での実行のためにロードされてもよい。プロセッサは、マイクロプロセッサ、マイクロコントローラ、プロセッサーモジュール又はサブシステム（一つ以上のマイクロプロセッサ又はマイクロコントローラを含む）又は他の制御又は計算デバイスを含む。「プロセッサ」は、単一のコンポーネントに又は複数のコンポーネントに関連してもよい。
【００４１】
データ、及び、命令（ソフトウェアの中で）はそれぞれの記憶装置に記憶される。そして、これは一つ以上のコンピュータ可読、あるいは計算機が使用可能な記憶媒体としてインプリメントされる。記憶媒体は、メモリを含む半導体メモリ・デバイス、例えばＤＲＡＭ又はＳＲＡＭ、消去可能な、及び、プログラム可能な読出し専用メモリ（ＥＰＲＯＭ）、電気的に消去可能、及び、プログラム可能な読出し専用メモリ（ＥＥＰＲＯＭ）、及び、フラッシュメモリ）の異なる形式を含み、磁気ディスク、例えば固定ディスク、フロッピー、及び、リムーバブル・ディスク、他の磁気媒体を含むテープ、及び、光学式媒体、例えばコンパクトディスク（ＣＤ）又はデジタル・ビデオ・ディスク（ＤＶＤ）が含まれる。
【００４２】
前述の説明において、多くの詳細事項が、本発明の理解を提供するために記載されている。しかしながら、これらは、本発明が当業者によってこれらの詳細なしで実施されてもよいと理解されるべきである。本発明は、限定された数の実施例によって開示されているが、当業者はそこから多数の修正変更を理解する。添付の請求の範囲が本発明の技術的範囲をカバーする。
【図１】
2011523256.tif 000003
【図２】
2011523256.tif 000004
【図３】
2011523256.tif 000005
【国際調査報告】
2011523256.tif 000006
2011523256.tif 000007